(57)【要約】【課題】連写動作中に限らず、暗い環境下においてもファインダー内のカメラ情報を容易に視認することができるようにする。【解決手段】ファインダー１６と可動ミラー１２との間には、撮像装置に関する所定の情報を表示する表示部４０が配置されている。測光センサー１５が表示部の後段に配置されて可動ミラーからの反射光を受けてその輝度を測光する。光源３９は表示部を照明する。マイクロコンピュータ４２は測光センサーで測光された輝度に応じて光源の明るさを算出して当該算出された明るさに基づいて光源を制御する際、測光センサーによる測光が行われている場合には光源を消灯制御し、測光センサーによる測光が行われていない場合には光源を点灯する。【選択図】図１
2014075739.tif 000002
【特許請求の範囲】
【請求項１】
光学像が結像され前記光学像に応じた画像データを得る撮像部を備える撮像装置であって、
前記撮像部の前段において光軸上に配置され、撮影動作の際にアップして前記光学像が前記撮像部に送られるようにし、前記撮影動作が終了するとダウンして前記光学像を反射する可動ミラーと、
前記可動ミラーからの反射光を受けて前記光学像を観察するファインダーと、
前記ファインダーと前記可動ミラーとの間に配置され、前記撮像装置に関する所定の情報を表示する表示部と、
前記表示部の後段に配置され前記可動ミラーからの反射光を受けてその輝度を測光する測光センサーと、
前記表示部を照明する光源と、
前記光源を点灯制御するとともに、前記測光センサーで測光された輝度に応じて前記光源の明るさを算出して当該算出された明るさに基づいて前記光源を制御する制御手段とを有し、
前記制御手段は、前記測光センサーによる測光が行われている際、前記光源を消灯制御し、前記測光センサーによる測光が行われていない場合には、前記光源を点灯することを特徴とする撮像装置。
【請求項２】
前記制御手段は、前記測光センサーで測光された輝度が所定の閾値を超えると、前記光源を消灯制御することを特徴とする請求項１に記載の撮像装置。
【請求項３】
前記測光センサーで測光された輝度が所定の閾値以下で、かつ前記可動ミラーがダウン中であると、前記制御手段は前記測光センサーで測光された輝度に応じた明るさよりも低い所定の低明度に前記光源を制御することを特徴とする請求項１又は２に記載の撮像装置。
【請求項４】
前記測光センサーで測光された輝度が所定の閾値以下で、かつ前記可動ミラーがダウン中でないと、前記制御手段は前記測光センサーで測光された輝度に応じた明るさに前記光源を制御することを特徴とする請求項１又は２に記載の撮像装置。
【請求項５】
前記表示部は液晶表示部であることを特徴とする請求項１〜４のいずれか１項に記載の撮像装置。
【請求項６】
前記光源は前記表示部が備える発光素子であり、
前記可動ミラーがダウン中であると、前記制御手段は前記測光センサーで測光された輝度に応じた明るさよりも低い所定の低明度に前記発光素子を制御することを特徴とする請求項１又は２に記載の撮像装置。
【請求項７】
前記光源は前記表示部が備える発光素子であり、
前記可動ミラーがダウン中でないと、前記制御手段は前記測光センサーで測光された輝度に応じた明るさに前記発光素子を制御することを特徴とする請求項１又は２に記載の撮像装置。
【請求項８】
前記制御手段は、前記測光センサーによる測光の回数が所定の回数に達した後において前記測光センサーによる測光が行われていない期間で前記光源を点灯制御することを特徴とする請求項１に記載の撮像装置。
【請求項９】
前記測光センサーで測光された輝度が所定の閾値以下で、かつ前記可動ミラーがダウン中であると、前記制御手段は前記測光センサーで測光された輝度に応じた明るさよりも低い所定の低明度に前記光源を制御することを特徴とする請求項８に記載の撮像装置。
【請求項１０】
前記測光センサーで測光された輝度が所定の閾値以下で、かつ前記可動ミラーがダウン中でないと、前記制御手段は前記測光センサーで測光された輝度に応じた明るさに前記光源を制御することを特徴とする請求項８に記載の撮像装置。
【請求項１１】
前記制御手段は、前記可動ミラーがダウン中でないと前記光源を点灯すべき状態である前記測光センサーによる測光が行われていない回数をカウントするカウンターを備え、
前記制御手段は、前記測光センサーで測光された輝度が所定の閾値以下で、前記カウンターのカウント値が所定のカウント値を超えると、前記測光センサーで測光された輝度に応じた明るさで前記光源を点灯制御することを特徴とする請求項８に記載の撮像装置。
【請求項１２】
光学像が結像され前記光学像に応じた画像データを得る撮像部と、前記撮像部の前段において光軸上に配置され、撮影動作の際にアップして前記光学像が前記撮像部に送られるようにし、前記撮影動作が終了するとダウンして前記光学像を反射する可動ミラーと、前記可動ミラーからの反射光を受けて前記光学像を観察するファインダーと、前記ファインダーと前記可動ミラーとの間に配置され、前記撮像装置に関する所定の情報を表示する表示部と、前記表示部の後段に配置され前記可動ミラーからの反射光を受けてその輝度を測光する測光センサーと、前記表示部を照明する光源とを備える撮像装置の制御方法であって、
前記測光センサーで測光された輝度に応じて前記光源の明るさを算出して当該算出された明るさに基づいて前記光源を制御する第１の制御ステップと、
前記測光センサーによる測光が行われている際、前記光源を消灯制御する第２の制御ステップと、
前記測光センサーによる測光が行われていない場合には、前記光源を点灯する第３の制御ステップと、
を有することを特徴とする制御方法。
【請求項１３】
光学像が結像され前記光学像に応じた画像データを得る撮像部と、前記撮像部の前段において光軸上に配置され、撮影動作の際にアップして前記光学像が前記撮像部に送られるようにし、前記撮影動作が終了するとダウンして前記光学像を反射する可動ミラーと、前記可動ミラーからの反射光を受けて前記光学像を観察するファインダーと、前記ファインダーと前記可動ミラーとの間に配置され、前記撮像装置に関する所定の情報を表示する表示部と、前記表示部の後段に配置され前記可動ミラーからの反射光を受けてその輝度を測光する測光センサーと、前記表示部を照明する光源とを備える撮像装置で用いられる制御プログラムであって、
前記撮像装置が備えるコンピュータに、
前記測光センサーで測光された輝度に応じて前記光源の明るさを算出して当該算出された明るさに基づいて前記光源を制御する第１の制御ステップと、
前記測光センサーによる測光が行われている際、前記光源を消灯制御する第２の制御ステップと、
前記測光センサーによる測光が行われていない場合には、前記光源を点灯する第３の制御ステップと、
を実行させることを特徴とする制御プログラム。
【発明の詳細な説明】
【技術分野】
【０００１】
本発明は、一眼レフカメラなどの撮像装置、その制御方法、および制御プログラムに関し、特に、ファインダー内に表示装置（表示部）を備える撮像装置に関する。
【背景技術】
【０００２】
一般に、一眼レフカメラなどの撮像装置では、ファインダー内に測距点などの様々なカメラ情報を表示するための液晶表示装置（液晶表示部）が搭載されている。そして、当該液晶表示装置は、特に、暗い環境下では見づらいので、液晶表示装置を照明するためにＬＥＤなどの光源（ライト）が搭載されている。
【０００３】
一方、ファインダー内には、外光、つまり、被写体像（光学像）の輝度を検知するための測光センサーも搭載されている。このため、ライトを点灯させると、測光センサーによる輝度検知が誤検知としてなってしまうことがある。
【０００４】
このような不具合を防止するため、つまり、測光センサーの誤輝度検知を防止するとともに、液晶表示装置の見易さを両立させるため、一眼レフカメラにおいて、可動ミラーによってファインダー光学系に光を導く際、可動ミラーが所定の位置に移動するまでの安定化時間内に表示装置の光源の駆動を行って、光源の駆動の終了後に受光動作を開始するようにしたものがある（特許文献１参照）。
【０００５】
さらに、可動ミラーを介してファインダー視野内に被写体像を視認可能とする露光開始前及び／又は可動ミラーが可動する露光シーケンス中に、表示装置を動作させる際、露光開始前にスーパーインポーズ表示を行う場合には、露光開始前の測光情報に基づいて光源の明るさを制御するようにしたものがある。そして、ここでは、露光シーケンス中にスーパーインポーズ表示を行う場合には、光源の光量を露光開始前に制御された光量に対して低減ずるように制御している（特許文献２参照）。
【先行技術文献】
【特許文献】
【０００６】
【特許文献１】特開平８−４３９１４号公報
【特許文献２】特願平８−４３９１５号公報
【発明の概要】
【発明が解決しようとする課題】
【０００７】
ところが、特許文献１および２に記載のカメラにおいては、可動ミラーが所謂ミラーダウンする際にのみ光源が点灯されるので、連写撮影中においては問題ないものの、例えば、連写を行う前においては、液晶表示装置を視認しにくい結果、いずれの箇所を測距しているか、そして、いまカメラがどのような状態にあるか、ユーザーにとって判りにくいという問題点がある。
【０００８】
さらに、測光センサーによる測光結果に影響を与えないようにするため、測光センサーが蓄積動作中（つまり、測光中）の場合にのみライトを点灯しないようにすると、ユーザーにはライトの光がちらついて見えてしまい、その結果、目が疲れてしまう。特に、撮像装置が応答性能の良好でない測光センサーを搭載していると、ライトの光のちらつきが顕著となる。
【０００９】
従って、本発明の目的は、連写動作中に限らず、暗い環境下においてもファインダー内のカメラ情報を容易に視認することのできる撮像装置、その制御方法、および制御プログラムを提供することにある。
【課題を解決するための手段】
【００１０】
上記の目的を達成するため、本発明による撮像装置は、光学像が結像され前記光学像に応じた画像データを得る撮像部を備える撮像装置であって、前記撮像部の前段において光軸上に配置され、撮影動作の際にアップして前記光学像が前記撮像部に送られるようにし、前記撮影動作が終了するとダウンして前記光学像を反射する可動ミラーと、前記可動ミラーからの反射光を受けて前記光学像を観察するファインダーと、前記ファインダーと前記可動ミラーとの間に配置され、前記撮像装置に関する所定の情報を表示する表示部と、前記表示部の後段に配置され前記可動ミラーからの反射光を受けてその輝度を測光する測光センサーと、前記表示部を照明する光源と、前記光源を点灯制御するとともに、前記測光センサーで測光された輝度に応じて前記光源の明るさを算出して当該算出された明るさに基づいて前記光源を制御する制御手段とを有し、前記制御手段は、前記測光センサーによる測光が行われている際、前記光源を消灯制御し、前記測光センサーによる測光が行われていない場合には、前記光源を点灯することを特徴とする。
【００１１】
本発明による制御方法は、光学像が結像され前記光学像に応じた画像データを得る撮像部と、前記撮像部の前段において光軸上に配置され、撮影動作の際にアップして前記光学像が前記撮像部に送られるようにし、前記撮影動作が終了するとダウンして前記光学像を反射する可動ミラーと、前記可動ミラーからの反射光を受けて前記光学像を観察するファインダーと、前記ファインダーと前記可動ミラーとの間に配置され、前記撮像装置に関する所定の情報を表示する表示部と、前記表示部の後段に配置され前記可動ミラーからの反射光を受けてその輝度を測光する測光センサーと、前記表示部を照明する光源とを備える撮像装置の制御方法であって、前記測光センサーで測光された輝度に応じて前記光源の明るさを算出して当該算出された明るさに基づいて前記光源を制御する第１の制御ステップと、前記測光センサーによる測光が行われている際、前記光源を消灯制御する第２の制御ステップと、前記測光センサーによる測光が行われていない場合には、前記光源を点灯する第３の制御ステップと、を有することを特徴とする。
【００１２】
本発明による制御プログラムは、光学像が結像され前記光学像に応じた画像データを得る撮像部と、前記撮像部の前段において光軸上に配置され、撮影動作の際にアップして前記光学像が前記撮像部に送られるようにし、前記撮影動作が終了するとダウンして前記光学像を反射する可動ミラーと、前記可動ミラーからの反射光を受けて前記光学像を観察するファインダーと、前記ファインダーと前記可動ミラーとの間に配置され、前記撮像装置に関する所定の情報を表示する表示部と、前記表示部の後段に配置され前記可動ミラーからの反射光を受けてその輝度を測光する測光センサーと、前記表示部を照明する光源とを備える撮像装置で用いられる制御プログラムであって、前記撮像装置が備えるコンピュータに、前記測光センサーで測光された輝度に応じて前記光源の明るさを算出して当該算出された明るさに基づいて前記光源を制御する第１の制御ステップと、前記測光センサーによる測光が行われている際、前記光源を消灯制御する第２の制御ステップと、前記測光センサーによる測光が行われていない場合には、前記光源を点灯する第３の制御ステップと、を実行させることを特徴とする。
【発明の効果】
【００１３】
本発明によれば、連写動作中に限らず、暗い環境下においてもファインダー内の所定の情報であるカメラ情報を容易に視認することができる。
【図面の簡単な説明】
【００１４】
【図１】本発明の第１の実施形態による撮像装置の一例についてその構成を示すブロック図である。
【図２】図１に示す撮像装置についてレンズユニットを取り外した状態でその外観を示す斜視図であり、（ａ）は正面側からみた斜視図、（ｂ）は背面側からみた斜視図である。
【図３】図１に示す撮像装置における撮影処理を説明するためのフローチャートである。
【図４】図３に示す撮影制御を説明するためのフローチャートである。
【図５】図３に示す測光制御を説明するためのフローチャートである。
【図６】図３に示す光源点灯制御を説明するためのフローチャートである。
【図７】図１に示す撮像装置において測光の際の光源の状態と測光センサーにおける光蓄積状態を説明するためのタイミングチャートである。
【図８】本発明の第２の実施形態による撮像装置における光源点灯制御を説明するためのフローチャートである。
【図９】本発明の第２の実施形態による撮像装置において測光の際の光源の状態と測光センサーにおける光蓄積状態を説明するためのタイミングチャートである。
【発明を実施するための形態】
【００１５】
以下、本発明の実施の形態による撮像装置の一例について図面を参照して説明する。
【００１６】
［第１の実施形態］
図１は、本発明の第１の実施形態による撮像装置の一例についてその構成を示すブロック図である。
【００１７】
図示の撮像装置２００は、所謂一眼レフカメラであり、当該撮像装置２００はレンズユニット１００を有している。このレンズユニット１００は撮像装置本体に着脱可能な交換式のレンズユニットである。レンズユニット１００はレンズ５を備えており、このレンズ５は複数枚のレンズから構成されるが、ここでは、簡略化のため一枚のレンズで示されている。
【００１８】
レンズユニット１００に備えられた通信端子６はレンズユニット１００と撮像装置本体とが通信を行うための端子であって、通信端子６は撮像装置本体に備えられた通信端子１０と接続される。つまり、レンズユニット１００は、通信端子６および１０を介して、撮像装置本体に備えられたマイクロコンピュータ４２と通信を行う。そして、レンズシステム制御回路４は絞り駆動回路２を介して絞り１を制御する。さらに、レンズシステム制御回路４はＡＦ駆動回路３を介してレンズ５を光軸に沿って移動し合焦を行う。
【００１９】
撮像装置本体にはＡＥセンサー（測光センサーともいう）１５が備えられており、このＡＥセンサー１５はレンズユニット１００から入射する被写体像を後述のクイックリターンミラー１２を介して受け、その輝度を測光する。一方、ＡＦセンサー１１は、マイクロコンピュータ４２に対してデフォーカス量を示すデフォーカス情報を出力する。そして、マイクロコンピュータ４２はデフォーカス情報に基づいてレンズユニット１００を制御する。
【００２０】
クイックリターンミラー（可動ミラー）１２は、フォーカルプレーンシャッター１７の前段において光軸上に配置され、露光の際にマイクロコンピュータ４２の制御によって動作するアクチュエータ（図示せず）によってアップダウン駆動される。クイックリターンミラー１２はレンズユニット１００から入射した光を光軸に対して直交する方向に反射する。
【００２１】
クイックリターンミラー１２の反射方向には、フォーカシングスクリーン１３、ファインダー内表示部４０、およびペンタプリズム１４が配置され、ペンタプリズム１４によってクイックリターンミラー１２からの反射光がファインダー１６に導かれる。
【００２２】
なお、図示のファインダー光学系には、ファインダー内表示部４０を照明するためにＬＥＤなどの光源３９が備えられている。また、ファインダー内表示部４０の後段において、ペンタプリズム１４の近傍にはＡＥセンサー１５が配置され、ＡＥセンサー１５によって反射光の輝度が測光される。
【００２３】
撮影者（ユーザー）は、ペンタプリズム１４およびファインダー１６を介してフォーカシングスクリーン１３を観察し、レンズユニット１００を介して得た被写体像（光学像）の焦点状態および構図を確認することができる。
【００２４】
フォーカルプレーンシャッター１７は、マイクロコンピュータ４２の制御下で撮像素子２０の露光時間を制御する。光学フィルター１８は、例えば、ローパスフィルターから構成され、フォーカルプレーンシャッター１７を通過した光の高周波成分をカットして、撮像素子２０に被写体像を結像する。
【００２５】
撮像素子２０として、例えば、ＣＣＤ又はＣＭＯＳイメージセンサー等が用いられる。撮像素子２０は、撮像素子２０上に結像した光学象を光電変換して、光学像に応じた電気信号（アナログ信号）を出力する。
【００２６】
ＡＭＰ回路２１は、撮像素子２０の出力であるアナログ信号を、設定された撮影感度に応じたゲインで増幅する。そして、Ａ／Ｄ変換回路２２はＡＭＰ回路２１の出力をＡ／Ｄ変換してデジタル信号（画像信号）を出力する。
【００２７】
画像処理回路２３は、Ａ／Ｄ変換回路２２の出力である画像信号を受けて、当該画像信号に対して、例えば、フィルター処理、色変換処理、およびガンマー／ニー処理を行った後、メモリコントローラ２７に画像データとして出力する。画像処理回路２３にはＤ／Ａ変換回路が内蔵されており、画像処理回路２３はＡ／Ｄ変換回路２２によってＡ／Ｄ変換回路２２の出力であるデジタル信号又はメモリコントローラ２７にから入力される画像データをアナログ信号に変換する。そして、このアナログ信号は液晶駆動回路２４を介して液晶表示部２５に画像として表示される。
【００２８】
なお、上述の画像処理回路２３による画像処理および表示処理は、マイクロコンピュータ４２の制御によって切り替えられる。また、マイクロコンピュータ４２は、撮影の結果得られた画像のカラーバランス情報に基づいてホワイトバランス調整を行う。
【００２９】
液晶表示部２５は、後述のように撮像装置本体の背面に配置されて、画像を表示する背面モニタである。なお、液晶表示部２５の代わりに、例えば、有機ＥＬなど他の方式のディスプレイを用いるようにしてもよい。
【００３０】
メモリコントローラ２７は、画像処理回路２３から出力される未処理の画像信号をバッファメモリ２６に格納する。また、メモリコントローラ２７は画像処理回路２３から出力される画像データ（画像処理済みの画像信号）を記録媒体２８に格納する。
【００３１】
一方、メモリコントローラ２７はバッファメモリ２６又は記録媒体２８から画像信号又は画像データを取り込んで画像処理回路２３に出力する。さらに、メモリコントローラ２７は、外部インタフェース２９を介して受けた画像データを記録媒体２８に格納する。そして、メモリコントローラ２７は記録媒体２８に格納された画像データを、外部インタフェース２９を介して外部機器（図示せず）に出力する。
【００３２】
外部インタフェース２９として、例えば、ＵＳＢ、ＩＥＥＥ、又はＨＤＭＩが用いられる。記録媒体２８は、撮像装置本体に対して着脱可能であり、例えば、メモリカードである。但し、記録媒体２８は撮像装置本体に内蔵された内蔵メモリであってもよい。
【００３３】
マイクロコンピュータ４２は、撮像装置２００全体の制御を司る。そして、マイクロコンピュータ４２は不揮発性メモリ３８に記録されたプログラムを実行して、後述の各種処理を行う。なお、マイクロコンピュータ４２は、タイミング制御回路３２を介して撮像素子２０の駆動タイミングを制御する。また、マイクロコンピュータ４２はシャッター制御回路３６を介してフォーカルプレーンシャッター１７を制御する。
【００３４】
電源制御回路３５は、ＡＣ電源部３０又は２次電池部３１より供給される電源を制御するための回路である。電源制御回路３５はマイクロコンピュータ４２の制御下で電源のオンオフ制御を行う。また、電源制御回路３５は電源状態検知回路３４によって検知された現在の電源状態を示す電源状態情報、そして、電源種類検知回路３３によって検知された現在の電源の種類を示す電源種類情報をマイクロコンピュータ４２に通知する。
【００３５】
光学フィルター振動制御回路３７は、光学フィルター１８に接続されている圧電素子１９を振動させるための回路である。そして、光学フィルター振動制御回路３７は、マイクロコンピュータ４２の制御下で、振動の振幅、振動時間、振動の軸方向の各々を制御して圧電素子１９を振動させる。
【００３６】
不揮発性メモリ３８には、ユーザーが任意に設定したシャッター速度、絞り値、および撮影感度などの設定値が格納されるとともに、その他の各種データが格納される。そして、これら設定値および各種データは撮像装置２００の電源がオフされた状態でも、不揮発性メモリ２８に保存される。
【００３７】
光源３９は、前述のように、ファインダー内に備えられた表示部であるファインダー内表示部４０を照明するためのものである。光源３９は、後述するように、マイクロコンピュータ４２によって所定のタイミングで点灯および消灯が制御される。なお、ファインダー内表示部４０は測距点表示部４０とも呼ばれる。
【００３８】
ファインダー内表示部４０には、ファインダー内表示部駆動回路４１によって現在オートフォーカスが行われている測距点を示す枠が表示される。さらに、ファインダー内表示部４０には、撮像装置２００が認識する被写体の顔の位置を示す枠などが表示される。
【００３９】
なお、ファインダー内表示部４０は、液晶又は自発光する発光素子などで構成される。また、ファインダー内表示部４０が自発光する発光素子である際には、光源３９を点灯制御する代わりに、当該発光素子が点灯制御されることになる。そして、ファインダー内表示部４０が自発光する発光素子である場合には、光源３９は備えなくてもよい。
【００４０】
図１には示されていないが、撮像装置本体には操作部が備えられており、ユーザーは操作部を用いてマイクロコンピュータ４２に対して各種操作指示を入力する。
【００４１】
図２は、図１に示す撮像装置２００についてレンズユニット１００を取り外した状態でその外観を示す斜視図である。そして、図２（ａ）は正面側からみた斜視図であり、図２（ｂ）は背面側からみた斜視図である。
【００４２】
操作部は、例えば、レリーズ釦２０１、メイン電子ダイヤル２０２、サブ電子ダイヤル２０３、電源スイッチ２０４、プロテクト釦２０５、メニュー釦２０６、削除釦２０７、拡大モード釦２０８、再生指示釦２０９、シングル／マルチ切り替え釦２１０、およびマルチコントローラ２１１を有している。
【００４３】
レリーズ釦２０１は、撮影の準備指示および撮影指示を行うための釦であって、レリーズ釦２０１を半押しすると、被写体の輝度の測定および合焦が行われる。また、レリーズ釦２０１を全押しすると、シャッターが切られて画像の撮影が行われる。
【００４４】
メイン電子ダイヤル２０２は回転操作部材であり、ユーザーはメイン電子ダイヤル２０２を操作することによってシャッター速度および絞りなどの設定値の設定を行うことができる。さらに、メイン電子ダイヤル２０２の操作によって、ユーザーは拡大モードにおける拡大倍率の微調整を行うことができる。
【００４５】
サブ電子ダイヤル２０３は回転操作部材であり、ユーザーはサブ電子ダイヤル２０３を操作することによって絞りおよび露出補正などの設定値の設定を行うことができる。また、サブ電子ダイヤル２０３の操作によって、ユーザーは画像表示状態において画像の１枚送り操作などを行うことができる。
【００４６】
電源スイッチ２０４によって撮像装置２００の電源がオン又はオフされる。プロテクト釦２０５は記録媒体２８に保存された画像について、プロテクトおよびレーティングなどの処理を施す際に用いられる。
【００４７】
メニュー釦２０６は、各種設定画面を液晶表示部２５に表示させる際に用いられる釦である。削除釦２０７は、例えば、記録媒体２８に保存された画像を削除する際に用いられる釦である。拡大モード釦２０８は、再生状態において拡大モードへの遷移指示（拡大モードの開始指示）を行う際に用いられる。また、拡大モード釦２０８は拡大モードからの離脱を指示する拡大モードの終了指示を行う際にも用いられる。
【００４８】
再生指示釦２０９は、記録媒体２８に保存された画像を液晶表示部２５に表示させる際（つまり、画像再生の際）に用いられる。シングル／マルチ切り替え釦２１０は、測定の結果得られた被写体の輝度をロックするように指示する際に用いられる。また、シングル／マルチ切り替え釦２１０は画像の再生状態において、シングル表示およびマルチ表示の切り替える指示をする際に用いられる。
【００４９】
マルチコントローラ２１１は、オートフォーカスの開始ポイントである測距点の設定を行う際に用いられる。さらに、マルチコントローラ２１１は画像が拡大して表示される拡大画像表示状態において、拡大枠（拡大している範囲）の移動を行う際にその移動方向を指示する際に用いられる。
【００５０】
図３は、図１に示す撮像装置２００における撮影処理を説明するためのフローチャートである。なお、図示のフローチャートによる処理はマイクロコンピュータ４２の制御下で行われる。
【００５１】
撮影処理（撮影動作ともいう）が開始されると（例えば、レリーズ釦２０１が半押し操作（ＳＷ１オン）されると）、マイクロコンピュータ４２はファインダー内表示部４０が液晶を用いた表示部であるか否かを判定する（ステップＳ３０１）。ファインダー内表示部４０が液晶を用いた表示部であると（ステップＳ３０１において、ＹＥＳ）、マイクロコンピュータ４２はファインダー内表示部駆動回路４１によってファインダー内表示部４０を点灯制御する（ステップＳ３０２）。
【００５２】
続いて、マイクロコンピュータ４２はレリーズ釦２０１が半押しされている状態であるか否か（ＳＷ１オンか）を判定する。つまり、マイクロコンピュータ４２は測光開始がオンであるか否かを判定することになる（ステップＳ３０３）。なお、ファインダー内表示部４０が液晶を用いた表示部でないと（ステップＳ３０１において、ＮＯ）、マイクロコンピュータ４２はステップＳ３０３の処理に進む。
【００５３】
測光開始がオフであると（ステップＳ３０３において、ＮＯ）、マイクロコンピュータ４２は撮影処理を終了する。一方、測光開始がオンであると（ステップＳ３０３において、ＹＥＳ）、マイクロコンピュータ４２は、後述するようにして、測光制御を行う（ステップＳ３０４）。続いて、マイクロコンピュータ４２は、後述の光源３９の点灯制御を行う（ステップＳ３０５）。
【００５４】
次に、マイクロコンピュータ４２は、レリーズ釦２０１が全押しされているか否か（ＳＷ２オンか）を判定する（ステップＳ３０６）。ＳＷ２がオフであると（ステップＳ３０６において、ＮＯ）、マイクロコンピュータ４２はステップＳ３０３の処理に戻る。一方、ＳＷ２がオンであると（ステップＳ３０６において、ＹＥＳ）、マイクロコンピュータ４２は、後述の撮影制御（つまり、撮影動作）を行う（ステップＳ３０７）。
【００５５】
その後、マイクロコンピュータ４２は再度ＳＷ２がオンであるか否かを判定する（ステップＳ３０８）。ＳＷ２がオフであると（ステップＳ３０８において、ＮＯ）、マイクロコンピュータ４２はステップＳ３０３の処理に戻る。
【００５６】
ＳＷ２がオンであると（ステップＳ３０８において、ＹＥＳ）、マイクロコンピュータ４２は、ステップＳ３０４と同様にして測光制御を行う（ステップＳ３０９）。続いて、マイクロコンピュータ４２は、ステップＳ３０５と同様にして光源３９の点灯制御を行う（ステップＳ３１０）。
【００５７】
続いて、マイクロコンピュータ４２は、撮影モードが連写モードであるか否かを判定する（ステップＳ３１１）。撮影モードが連写モードであると（ステップＳ３１１において、ＹＥＳ）、マイクロコンピュータ４２はステップＳ３０７の処理に戻って撮影制御を行う。一方、撮影モードが連写モードでないと（ステップＳ３１１において、ＮＯ）、マイクロコンピュータ４２はステップＳ３０８の処理に戻る。
【００５８】
図４は、図３に示す撮影制御を説明するためのフローチャートである。
【００５９】
撮影制御を開始すると、マイクロコンピュータ４２は光源３９を消灯制御する（ステップＳ４０１）。続いて、マイクロコンピュータ４２はクイックリターンミラー１２をアップさせる（ステップＳ４０２）。そして、マイクロコンピュータ４２はシャッター制御回路３６によってフォーカルプレーンシャッター１７を開く（ステップＳ４０３）。これによって、露光が行われる（ステップＳ４０４）。
【００６０】
マイクロコンピュータ４２は、設定されたシャッター速度に基づいて、タイミング制御回路３２によって撮像素子２０の駆動タイミングを制御する。これによって、撮像素子２０の出力であるアナログ信号がＡＭＰ回路２１によって、設定ＩＳＯ値に応じたゲインで増幅されて、Ａ／Ｄ変換回路２２に入力される。そして、マイクロコンピュータ４２の制御下でＡ／Ｄ変換回路２２はアナログ信号をデジタル信号に変換し、画像処理回路２３は出力である画像データをバッファメモリ２６に書き込む。
【００６１】
続いて、マイクロコンピュータ４２はシャッター制御回路３６によってフォーカルプレーンシャッター１７を閉じる（ステップＳ４０５）。その後、マイクロコンピュータ４２の制御下で、メモリコントローラ２７はバッファメモリ２６に書き込まれた画像データを記録媒体２８に書き込む（ステップＳ４０６）。そして、マイクロコンピュータ４２はクイックリターンミラー１２のダウンを行う（ステッップＳ４０７）。
【００６２】
続いて、マイクロコンピュータ４２は、クイックリターンミラー１２のダウンが完了するまでの時間を計測するため内蔵のミラーダウンタイマーによる計時を開始する（ステップＳ４０８）。その後、マイクロコンピュータ４２は、図３のステップ３０５と同様にして、光源３９の点灯制御を行う（ステップＳ４０９）。
【００６３】
次に、マイクロコンピュータ４２はミラーダウンタイマーがカウントアップしたか否かを判定する（ステップＳ４１０）。ミラーダウンタイマーがカウントアップしていないと（ステップＳ４１０において、ＮＯ）、マイクロコンピュータ４２は待機する。一方、ミラーダウンタイマーがカウントアップすると（ステップＳ４１０において、ＹＥＳ）、マイクロコンピュータ４２は撮影制御を終了する。
【００６４】
図５は、図３に示す測光制御を説明するためのフローチャートである。
【００６５】
測光制御を開始すると、まず、マイクロコンピュータ４２はファインダー内表示部４０が液晶であるか否かを判定する（ステップＳ５０１）。ファインダー内表示部４０が液晶であれば（ステップＳ５０１において、ＹＥＳ）、マイクロコンピュータ４２は光源３９を消灯制御する（ステップＳ５０２）。一方、ファインダー内表示部４０が液晶でないと（ステップＳ５０１において、ＮＯ）、マイクロコンピュータ４２はファインダー内表示部駆動回路４１を制御して、自発光する発光素子を消灯する（ステップＳ５０３）。
【００６６】
ステップＳ５０２又はＳ５０３の処理に続いて、マイクロコンピュータ４２は測光センサー１５を制御して被写体の輝度を測光するため光の蓄積を開始する（測光開始：ステップＳ５０４）。そして、マイクロコンピュータ４２は光の蓄積が終了したか否かを判定する（ステップＳ５０５）。つまり、マイクロコンピュータ４２は測光が終了したか否かを判定することになる。光の蓄積が終了していなければ（ステップＳ５０５において、ＮＯ）、マイクロコンピュータ４２は待機する。
【００６７】
一方、光の蓄積が終了すると（ステップＳ５０５において、ＹＥＳ）、つまり、測光が終了すると、マイクロコンピュータ４２は、測光センサー１５の出力に応じて被写体輝度を算出する（ステップＳ５０６）。そして、マイクロコンピュータ４２は測光制御を終了する。
【００６８】
図６は、図３に示す光源点灯制御を説明するためのフローチャートである。
【００６９】
光源点灯制御を開始すると、まず、マイクロコンピュータ４２はファインダー内表示部４０が液晶であるか否かを判定する（ステップＳ６０１）。ファインダー内表示部４０が液晶であれば（ステップＳ６０１において、ＹＥＳ）、マイクロコンピュータ４２は、図５のステップＳ５０６で算出した被写体輝度が所定の輝度閾値よりも高いか否かを判定する（ステップＳ６０２）。
【００７０】
被写体輝度が輝度閾値以下であると（ステップＳ６０２において、ＮＯ）、マイクロコンピュータ４２は、図４のステップＳ４０８でカウントを開始したミラーダウンタイマーが未だカウント中であるか否かを判定する（ステップＳ６０３）。なお、ファインダー内表示部４０が液晶でないと（ステップＳ６０１において、ＮＯ）、マイクロコンピュータ４２はステップＳ６０３の処理に進む。
【００７１】
ミラーダウンタイマーがカウント中であると（ステップＳ６０３において、ＹＥＳ）、マイクロコンピュータ４２は、図５のステップＳ５０６で算出した被写体輝度に対して適正となる明るさ（適正明度）よりも所定の明るさ低い明るさ（以下低明度と呼ぶ）を算出する（ステップＳ６０４）。
【００７２】
一方、ミラーダウンタイマーがカウント中でないと（ステップＳ６０３において、ＮＯ）、つまり、カウントアップすると、マイクロコンピュータ４２は、図５のステップＳ５０６で算出した被写体輝度に対して適正となる明るさ（適正明度）を算出する（ステップＳ６０５）。
【００７３】
ステップＳ６０４又はＳ６０５の処理に続いて、マイクロコンピュータ４２はファインダー内表示部４０が液晶であるか否かを再度判定する（ステップＳ６０６）。ファインダー内表示部４０が液晶であれば（ステップＳ６０６において、ＹＥＳ）、マイクロコンピュータ４２は、ミラーダウンタイマーがカウント中であるか否かに応じてステップＳ６０４又はＳ６０４で算出した低明度又は適正明度で光源３９を点灯する（ステップＳ６０８）。そして、マイクロコンピュータ４２は光源点灯制御を終了する。
【００７４】
ファインダー内表示部４０が液晶でないと（ステップＳ６０６において、ＮＯ）、マイクロコンピュータ４２は、ミラーダウンタイマーがカウント中であるか否かに応じて、ファインダー内表示部駆動回路４１によってステップＳ６０４又はＳ６０５で算出した低明度又は適正明度で、自発光する発光素子を点灯する（ステップＳ６０９）。そして、マイクロコンピュータ４２は光源点灯制御を終了する。
【００７５】
ステップＳ６０２において、被写体輝度が輝度閾値よりも高いと（ステップＳ６０２において、ＹＥＳ）、マイクロコンピュータ４２は光源３９を消灯して（ステップＳ６０７）、光源点灯制御を終了する。
【００７６】
図７は、図１に示す撮像装置において測光の際の光源の状態と測光センサーにおける光蓄積状態を説明するためのタイミングチャートである。
【００７７】
図６で説明したように光源点灯制御を行うと、測光センサー１５に光が蓄積されている測光期間Ａでは、光源３９又は発光素子が消灯している状態になる。一方、測光センサー１５に光が蓄積されていない非測光期間Ｂでは、光源又は発光素子が点灯している状態になる。この結果、測光センサー１５の誤測光を防止して、被写体輝度を正確に算出することができる。
【００７８】
さらに、撮影の際において、ミラーダウン中には被写体輝度に対して適正となる明るさよりも所定の明るさだけ低い明るさ（低明度）で光源又は発光素子を点灯させるようにしたので、ファインダー像が一瞬消失する撮影中であっても自然なファインダービューを実現することができる。
【００７９】
［第２の実施形態］
次に、本発明の第２の実施形態による撮像装置の一例について説明する。なお、第２の撮像装置の構成は、図１に示す撮像装置と同様であるので、ここでは説明を省略する。
【００８０】
一般に、測光センサー１５においてはデバイス上の制約などに起因して、測光を行う測光周期が長いことがある。このような場合、第１の実施形態で説明した光源点灯制御であると、光源又は発光素子の点灯および消灯が人間の目で視認できることになって、ユーザーにちらつき感を与えてしまう。そして、ファインダーを覗きながら撮影を行う場合、このちらつきはユーザーに対してストレスを与えてしまう。
【００８１】
ここでは、上記のようなちらつきを防止する光源点灯制御について説明する。
【００８２】
図８は、本発明の第２の実施形態による撮像装置における光源点灯制御を説明するためのフローチャートである。なお、第２の実施形態による撮像装置において、撮影処理は光源点灯制御を除いて図３に示す撮影処理と同様である。また、図８において、図６に示す光源点灯制御と同一のステップについては同一の参照符号を付して説明を省略する。
【００８３】
前述のように、ステップＳ６０３において、ミラーダウンタイマーがカウント中でないと（ステップＳ６０３において、ＮＯ）、マイクロコンピュータ４２は内蔵する光源点灯カウンターをインクリメントする（ステップＳ７０５）。なお、マイクロコンピュータ４２は、光源又は自発光する発光素子を点灯すべき状態であると光源点灯カウンターをインクリメントする。従って、光源又は自発光する発光素子を点灯すべき状態となった回数が増加すると、光源点灯カウンターのカウント値は増加することになる。
【００８４】
続いて、マイクロコンピュータ４２は光源点灯カウンターのカウント値が所定のカウント値ｎを超えたか否かを判定する（ステップＳ７０６）。光源点灯カウンターのカウント値が所定のカウント値ｎ以下であると（ステップＳ７０６において、ＮＯ）、マイクロコンピュータ４２は光源点灯制御を終了する。
【００８５】
一方、光源点灯カウンターのカウント値が所定のカウント値ｎを超えていると（ステップＳ７０６において、ＹＥＳ）、マイクロコンピュータ４２は光源点灯カウンターをリセットする（ステップＳ７０７）。そして、マイクロコンピュータ４２はステップＳ６０５の処理に進んで、被写体輝度に対して適正となる明るさ（適正明度）を算出する。
【００８６】
図９は、本発明の第２の実施形態による撮像装置において測光の際の光源の状態と測光センサーにおける光蓄積状態を説明するためのタイミングチャートである。
【００８７】
図８で説明したように光源点灯制御を行うと、測光センサー１５に光が蓄積されていない非測光期間Ｃでは、光源３９又は発光素子が点灯している状態になる。そして、非測光期間Ｃの後、測光センサー１５に光が蓄積されて光源３９又は発光素子は点灯されず消灯した状態となる。そして、期間Ｄに示すように、測光センサー１５の蓄積回数が所定回数を超えるまで（つまり、光源点灯カウンターのカウント値が所定のカウント値ｎら超えるまで）、光源３９又は発光素子が消灯している状態となる。
【００８８】
この結果、ユーザーがファインダーを見た際には、あたかも点滅と同等となって、測光を行う周期が長い場合であっても、ユーザーにストレスを与えないファインダービューを実現することができる。
【００８９】
上述の説明から明らかなように、図１に示す例においては、少なくともフォーカルプレーンシャッター１７、光学フィルター１８、撮像素子２０、ＡＭＰ回路２１、Ａ／Ｄ変換回路２２、および画像処理回路２３が撮像部を構成する。また、マイクロコンピュータ４２およびファインダー内表示部駆動回路４１は制御手段として機能する。
【００９０】
以上、本発明について実施の形態に基づいて説明したが、本発明は、これらの実施の形態に限定されるものではなく、この発明の要旨を逸脱しない範囲の様々な形態も本発明に含まれる。
【００９１】
例えば、上記の実施の形態の機能を制御方法として、この制御方法を撮像装置に実行させるようにすればよい。また、上述の実施の形態の機能を有するプログラムを制御プログラムとして、当該制御プログラムを撮像装置が備えるコンピュータに実行させるようにしてもよい。なお、制御プログラムは、例えば、コンピュータに読み取り可能な記録媒体に記録される。
【００９２】
上記の制御方法および制御プログラムの各々は、少なくとも第１の制御ステップ、第２の制御ステップ、および第３の制御ステップを有している。
【００９３】
また、本発明は、以下の処理を実行することによっても実現される。つまり、上述した実施形態の機能を実現するソフトウェア（プログラム）を、ネットワーク又は各種の記録媒体を介してシステム或いは装置に供給し、そのシステム或いは装置のコンピュータ（またはＣＰＵやＭＰＵなど）がプログラムを読み出して実行する処理である。
【符号の説明】
【００９４】
２０  撮像素子
２５  液晶表示部
３２  タイミング制御回路
３５  電源制御回路
３６  シャッター制御回路
３８  不揮発性メモリ
３９  光源
４０  ファインダー内表示部
４１  ファインダー内表示部駆動回路
４２  マイクロコンピュータ
【図１】
2014075739.tif 000003
【図２】
2014075739.tif 000004
【図３】
2014075739.tif 000005
【図４】
2014075739.tif 000006
【図５】
2014075739.tif 000007
【図６】
2014075739.tif 000008
【図７】
2014075739.tif 000009
【図８】
2014075739.tif 000010
【図９】
2014075739.tif 000011